(57)【要約】      （修正有）【課題】大規模災害発生時に、避難者を浮上させ、飛行させることにより、迅速に安全に避難させ得る災害避難用携帯式飛行艇を提供する。【解決手段】災害避難用携帯式飛行艇１は、収納袋２に折りたたんだ状態で収納された筒状密封膜材に圧縮されたヘリウムガスを注入することで上方に浮上する構造の注入装置４と、筒状密封膜材の下部の二箇所に小型モーターによりプロペラ８を回転させ推進する構造の飛行装置６と、小型モーターによりプロペラ８を回転させ推進するために操縦する構造の操縦装置１０を有する。この携帯式飛行艇１によれば、大地震や大津波や洪水（河川の氾濫）などの大規模災害発生時に、避難者が指定された避難場所や水没のおそれのない高台場所まで、迅速に安全に避難することができる。【選択図】図２
0003210298.tif 000002
【実用新案登録請求の範囲】
【請求項１】
大地震や大津波や洪水（河川の氾濫）などの大規模災害発生時に、避難者が指定された避難場所や水没のおそれのない高台場所まで迅速に安全に避難するため、避難途中の道路の陥没で落下したり、水没したりするおそれを回避するため、携帯式飛行艇で浮上し、飛行することで迅速に安全に避難することができる特徴をもつ災害避難用携帯式飛行艇。
【考案の詳細な説明】
【技術分野】
【０００１】  本考案は、大地震や大津波や洪水（河川の氾濫）などの大規模災害発生時において、自動車免許を取得していない者や高齢者や身障者などを含む避難者が安全に避難できる災害避難用携帯式飛行艇に関するものである。尚、本考案の説明において、災害避難用携帯式飛行艇と携帯式飛行艇とは同義語であって、以下の説明では、本願の災害避難用携帯式飛行艇を単に携帯式飛行艇と表現することがある。
【背景技術】
【０００２】  大地震や大津波や洪水（河川の氾濫）などの大規模災害が発生したときに、自動車免許を取得していない者や高齢者や身障者などを含む避難者が指定された避難場所や水没のおそれがない高台場所まで、自力で迅速で安全に避難するのは極めて困難である。
【先行技術文献】
【０００３】
【特許文献１】特開２００７−１０６３３６号  公報
【考案の概要】
【考案が解決しようとする課題】
【０００４】  本考案は、大地震や大津波や洪水（河川の氾濫）などの大規模災害発生時に、自動車免許を取得していない者や高齢者や身障者などを含む避難者が指定された避難場所や水没のおそれがない高台場所まで、自力で迅速に安全に避難することが困難であるとともに、避難途中で大地震により道路の陥没で落下したり、水没したりする危険が生じるという問題がある。【０００５】  本考案は、上記の大規模災害発生時に、避難者を浮上させ、飛行させることにより、迅速に安全に避難させ得る災害避難用携帯式飛行艇を提供することを目的としている。
【課題を解決するための手段】
【０００６】  本考案は、上記課題を解決するための手段として次の構成を有している。
尚、本考案は、大地震や大津波や洪水（河川の氾濫）などの大規模災害発生時に適用される災害避難用携帯式飛行艇を対象としている。【０００７】  本考案に係る災害避難用携帯式飛行艇は、既存の飛行艇とは違い、避難者の背中に背負える携帯式の小型飛行艇で、収納袋に折りたたんだ状態で収納されており、災害時に圧縮されたヘリウムガス（比重の軽い）を収納状態の小型飛行艇の筒体に注入することで、避難者を浮上させるとともに、推進力を発生させて飛行ができる機能を有している。【０００８】  本考案に係る災害避難用携帯式飛行艇は、携帯式飛行艇の下部の二箇所に取付けられたプロペラによる推進方式を装備した飛行装置と圧縮されたヘリウムガスを注入するための注入装置と飛行装置を操作するための操縦装置を有していることを特徴としている。【０００９】  上記の携帯式飛行艇の飛行装置は、携帯式飛行艇の下部の二箇所（中央部左右箇所）に小型バッテリーを装備した小型モーターによりプロペラを回転させ前後方向と左右方向に推進力を発生させるとともに、装備されたルーバーを駆動させることにより、上下方向に推進力を発生させることができる。【００１０】  上記の携帯式飛行艇の注入装置は、収納袋に折りたたんだ状態で収納された筒状密封膜材に圧縮されたヘリウムガスが充填された注入装置（ヘリウムガスボンベ）に設けられたバルブを調整しながら、開放してヘリウムガスを筒状密封膜材に注入することで上方に浮上することができる。【００１１】  上記の携帯式飛行艇の操縦装置は、飛行装置の小型モーターによりプロペラを前後方向に回転させ推進したり、片方のプロペラを停止させることで左右方向に推進したりするための機能とプロペラの後方に装備したルーバーを上下方向に駆動させることで上昇したり、下降したりするための機能を有した有線式の操縦機（携帯型）で操縦することができる。
【考案の効果】
【００１２】  本考案の携帯式飛行艇では、大地震や大津波や洪水（河川の氾濫）などの大規模災害発生時に、自動車免許を取得していない者や高齢者や身障者などを含む避難者が指定された避難場所や水没のおそれがない高台場所まで、携帯式飛行艇で浮上し、飛行することで迅速に安全に避難できるとともに、避難途中で道路の陥没で落下したり、水没したりする危険を回避できるという効果がある。【００１３】  又、本考案の携帯式飛行艇では、注入装置（ヘリウムガスボンベ）に設けられたバルブには注入量を調整するバルブを開閉することで、危険性のない高度で飛行ができるという効果がある。
【図面の簡単な説明】
【００１４】
【図１】  本考案の携帯式飛行艇の収納袋の正面図と側面図
【図２】  図１の状態変化図で、災害時の携帯式飛行艇の正面図と側面図
【考案を実施するための形態】
【００１５】  図１〜図２を参照して本考案の実施例を説明すると、この実施例の携帯式飛行艇は、筒状密封膜材の筒体に圧縮されたヘリウムガスを注入することで、上方に浮上するとともに、推進力を発生させて飛行することができる装置を装備した携帯式飛行艇として製作されたものである。
【実施例】
【００１６】  図１〜図２にある携帯式飛行艇１は、平常時は収納袋２に、膨縮自在な筒状密封膜材からなる筒体３を偏平状に縮んで上下厚さが薄くなった状態で収納されている。【００１７】  図１〜図２にある携帯式飛行艇１は、緊急時（大規模災害発生時）に収納された状態の筒体３に、注入装置（ヘリウムガスボンベ）４のバルブを開放して供給管５を通して圧縮されたヘリウムガスが注入されることにより、筒体３が図２に示すように膨脹し、上方に浮上して危険性のない高度にすることができる。又、注入装置４のバルブで調整することで筒体３の上方への浮上が危険性のない高度に調整することができる。【００１８】  図１〜図２にある携帯式飛行艇１の筒体３の下部の二箇所（中央部左右箇所）に取付けられた飛行装置６は、小型バッテリー７を装備した小型モーターでプロペラ８を回転させ前後方向と左右方向に推進力を発生させるとともに、小型モーターでルーバー９を駆動させることにより上下方向に推進力を発生させることにより飛行することができる。【００１９】  図１〜図２にある携帯式飛行艇１を適正に操縦するための操縦装置１０は、飛行装置６の小型モーターでプロペラ８を前後方向に回転させ推進力を発生したり、片方のプロペラ８を停止させることで左右方向に推進したりすることができる。【００２０】  又、プロペラ８の後方に装備したルーバー９を小型モーターで上下方向に駆動させることで上昇したり、下降したりする機能を有した有線式の操縦装置１０により操縦することができる。
【符号の説明】
【００２１】  １は携帯式飛行艇、２は収納袋、３は筒体、４は注入装置（ヘリウムガスボンベ）、５は供給管、６は飛行装置、７は小型バッテリー、８はプロペラ、９はルーバー、１０は操縦装置である。
【図１】
0003210298.tif 000003
【図２】
0003210298.tif 000004
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
収納袋に折りたたんだ状態で収納された筒状密封膜材に圧縮されたヘリウムガスを注入することで上方に浮上する構造の注入装置と、筒状密封膜材の下部の二箇所に小型モーターによりプロペラを回転させ推進する構造の飛行装置と、小型モーターによりプロペラを回転させ推進するために操縦する構造の操縦装置を有する災害避難用携帯式飛行艇。